(57)【要約】      （修正有）【課題】人工光用及び太陽光用のソーラーパネルの発電電力を利用することができるとともに、人工光用のソーラーパネルに光劣化が生じる状態であることを検知することができる携帯端末を提供する。【解決手段】本体筐体の外面に設けられ、太陽光を電力に変換する本体ソーラーパネルと、人工光を電力に変換する電池ソーラーパネルを有し、本体筐体内に取出可能に収容される電池パックと、本体筐体に対し開閉可能に装着され、開状態では電池ソーラーパネルを露出させ、閉状態では電池ソーラーパネルを遮光する電池蓋と、電池蓋の開閉状態を検出する開閉検出部と、本体ソーラーパネルの発電量を検出する発電量検出部と、開閉状態及び発電量に基づいて、電池ソーラーパネルに光劣化が生じる状態であるか否かを判定する劣化判定部１０３により構成される。【選択図】図４
2014030137.tif 000002
【特許請求の範囲】
【請求項１】
筐体の外面に設けられ、太陽光を電力に変換する第１ソーラーパネルと、
人工光を電力に変換する第２ソーラーパネルを有し、上記筐体内に取出可能に収容される電池と、
上記筐体に対し開閉可能に装着され、開状態では第２ソーラーパネルを露出させ、閉状態では第２ソーラーパネルを遮光する電池蓋と、
上記電池蓋の開閉状態を検出する開閉検出手段と、
第１ソーラーパネルの発電量を検出する発電量検出手段と、
上記開閉状態及び上記発電量に基づいて、第２ソーラーパネルに光劣化が生じる状態であるか否かを判定する劣化判定手段とを備えたことを特徴とする携帯端末。
【請求項２】
上記劣化判定手段は、上記電池蓋が開状態であり、かつ、上記発電量が劣化判定閾値以上である場合に、第２ソーラーパネルに光劣化が生じる状態であると判定することを特徴とする請求項１に記載の携帯端末。
【請求項３】
上記劣化判定手段の判定結果に基づいて、ユーザに対し、上記電池蓋を閉めることを促す報知を行うユーザ報知手段を備えたことを特徴とする請求項１又は２に記載の携帯端末。
【請求項４】
上記発電量を電池交換不可閾値と比較し、電源投入中における電池交換の可否を判別する電池交換判別手段を備え、
上記ユーザ報知手段は、上記電池蓋が閉状態から開状態へ移行した場合に、上記電池交換可否の判別結果に基づいて、ユーザに対する報知を行うことを特徴とする請求項３に記載の携帯端末。
【請求項５】
上記発電量を上記電池交換不可閾値よりも大きい省電力切替閾値と比較し、消費電力を通常モードよりも低減させた省電力モードへのモード切替の要否を判別する省電力切替判別手段と、
上記電池蓋が閉状態から開状態へ移行した場合に、上記電池交換可否の判別結果及び上記モード切替要否の判別結果に基づいて、動作モードを上記省電力モードへ切り替えるモード切替手段とを備え、
上記モード切替手段は、上記発電量が上記電池交換不可閾値以上、かつ、上記省電力切替閾値以下である場合に、動作モードを上記省電力モードへ切り替えることを特徴とする請求項４に記載の携帯端末。
【請求項６】
上記開閉状態及び上記発電量に基づいて、充電制御を行う充電制御手段を備え、
上記電池は、充電可能な二次電池からなり、
上記充電制御手段は、上記電池蓋が閉状態である場合に、第１ソーラーパネルの発電電力を利用して上記二次電池の充電を行い、上記電池蓋が開状態である場合に、上記発電量が上記劣化判定閾値以上であるか否かに応じて、第１及び第２ソーラーパネルのいずれを利用して上記二次電池の充電を行うのかを切り替えることを特徴とする請求項２〜５のいずれかに記載の携帯端末。
【発明の詳細な説明】
【技術分野】
【０００１】
本発明は、携帯端末に係り、さらに詳しくは、ソーラーパネルを有する電池が筐体内に取出可能に収容される携帯端末の改良に関する。
【背景技術】
【０００２】
携帯電話機、ＰＤＡ（Personal Digital Assistant）、タブレット端末、携帯型のパーソナルコンピュータ、携帯ゲーム機といった携帯端末は、繰り返し充放電可能な内蔵電池から電力の供給を受けて動作する。通常、この種の内蔵電池は、携帯端末の筐体内に取出可能に収容される電池パックとしてパッケージ化され、電池パック内の二次電池が劣化したり、電池残量が少なくなれば、交換することができる。また、電池パックを筐体内に収容させた状態で携帯端末にＡＣアダプタを接続することにより、商用電源から供給される電力を利用して電池パック内の二次電池を充電することができる。
【０００３】
最近では、光を照射することによって発電するソーラーパネルを搭載し、ソーラーパネルにより発電された電力を利用して内蔵電池を充電することができる携帯端末が提案されている（例えば、特許文献１）。この特許文献１に記載の携帯端末では、太陽光を電力に変換するソーラーパネルと、人工光を電力に変換するソーラーパネルとが筐体に設けられ、これらのソーラーパネルにより発電された電力を利用して、筐体内の二次電池が充電される。各ソーラーパネルは、受光面が露出する状態で筐体の外面に配置される。
【０００４】
人工光用のソーラーパネルは、アモルファスシリコンなどのアモルファス型半導体により構成され、屋内照明下といった低照度下において高い発電効率が得られる一方、屋外での直射日光下といった高照度下において劣化が生じるという光劣化の性質を有する。このため、上記携帯端末では、屋外使用によって人工光用のソーラーパネルに光劣化が生じてしまうという課題があった。
【先行技術文献】
【特許文献】
【０００５】
【特許文献１】特開２０１１−９７１７０号公報
【発明の概要】
【発明が解決しようとする課題】
【０００６】
本発明は、上記事情に鑑みてなされたものであり、太陽光用及び人工光用のソーラーパネルの発電電力を利用することができるとともに、人工光用のソーラーパネルに光劣化が生じる状態であることを検知することができる携帯端末を提供することを目的とする。
【０００７】
特に、人工光用のソーラーパネルに光劣化が生じる状態である場合に、ユーザに対し、電池蓋を閉めて当該ソーラーパネルを遮光するように促すことができる携帯端末を提供することを目的とする。
【０００８】
また、本発明は、電池蓋を開けた際に、電源投入したまま電池を交換するには光量が不足していることをユーザに認識させることができる携帯端末を提供することを目的とする。さらに、本発明は、太陽光用のソーラーパネルにより十分な発電電力が得られない場合であっても、電源投入したまま電池を交換することができる携帯端末を提供することを目的とする。
【０００９】
また、本発明は、電池単体であっても人工光用のソーラーパネルにより発電された電力を利用して二次電池を充電することができ、電池を筐体内に収容させた状態では、太陽光用のソーラーパネルにより発電された電力を利用して二次電池を充電することもできる携帯端末を提供することを目的とする。特に、電池蓋が閉まっているか否かや人工光用のソーラーパネルに光劣化が生じる状態であるか否かに応じて、各ソーラーパネルの発電電力を適切に利用して二次電池を充電することができる携帯端末を提供することを目的とする。
【課題を解決するための手段】
【００１０】
第１の本発明による携帯端末は、筐体の外面に設けられ、太陽光を電力に変換する第１ソーラーパネルと、人工光を電力に変換する第２ソーラーパネルを有し、上記筐体内に取出可能に収容される電池と、上記筐体に対し開閉可能に装着され、開状態では第２ソーラーパネルを露出させ、閉状態では第２ソーラーパネルを遮光する電池蓋と、上記電池蓋の開閉状態を検出する開閉検出手段と、第１ソーラーパネルの発電量を検出する発電量検出手段と、上記開閉状態及び上記発電量に基づいて、第２ソーラーパネルに光劣化が生じる状態であるか否かを判定する劣化判定手段とを備えて構成される。
【００１１】
この携帯端末では、太陽光用のソーラーパネルが筐体の外面に設けられ、人工光用のソーラーパネルが筐体内の電池に設けられている。人工光用のソーラーパネルは、電池蓋が開状態であれば、筐体から露出する。この様な状態では、太陽光用のソーラーパネルの発電量を検出することにより、人工光用のソーラーパネルに照射される太陽光によって当該ソーラーパネルに光劣化が生じる状態であるか否かを判定することができる。
【００１２】
第２の本発明による携帯端末は、上記構成に加え、上記劣化判定手段が、上記電池蓋が開状態であり、かつ、上記発電量が劣化判定閾値以上である場合に、第２ソーラーパネルに光劣化が生じる状態であると判定するように構成される。
【００１３】
この様な構成によれば、人工光用のソーラーパネルに照射される光の強度が所定レベル以上であるか否かに応じて、当該ソーラーパネルに光劣化が生じる状態であるか否かを判定することができる。例えば、屋外で太陽光が直接に照射されるといった高照度下であるか否かに応じて、人工光用のソーラーパネルに光劣化が生じる状態であるか否かを判定することができる。
【００１４】
第３の本発明による携帯端末は、上記構成に加え、上記劣化判定手段の判定結果に基づいて、ユーザに対し、上記電池蓋を閉めることを促す報知を行うユーザ報知手段を備えて構成される。
【００１５】
この様な構成によれば、開閉状態及び発電量に基づく光劣化の判定結果に基づいて報知を行うので、人工光用のソーラーパネルに光劣化が生じる状態である場合に、ユーザに対し、電池蓋を閉めて当該ソーラーパネルを遮光するように促すことができる。
【００１６】
第４の本発明による携帯端末は、上記構成に加え、上記発電量を電池交換不可閾値と比較し、電源投入中における電池交換の可否を判別する電池交換判別手段を備え、上記ユーザ報知手段が、上記電池蓋が閉状態から開状態へ移行した場合に、上記電池交換可否の判別結果に基づいて、ユーザに対する報知を行うように構成される。
【００１７】
この様な構成によれば、電池蓋が開状態へ移行した場合に、電源投入中における電池交換可否の判別結果に基づいて報知を行うので、電池蓋を開けた際に、電源投入したまま電池を交換するには光量が不足していることをユーザに認識させることができる。
【００１８】
第５の本発明による携帯端末は、上記構成に加え、上記発電量を上記電池交換不可閾値よりも大きい省電力切替閾値と比較し、消費電力を通常モードよりも低減させた省電力モードへのモード切替の要否を判別する省電力切替判別手段と、上記電池蓋が閉状態から開状態へ移行した場合に、上記電池交換可否の判別結果及び上記モード切替要否の判別結果に基づいて、動作モードを上記省電力モードへ切り替えるモード切替手段とを備え、上記モード切替手段が、上記発電量が上記電池交換不可閾値以上、かつ、上記省電力切替閾値以下である場合に、動作モードを上記省電力モードへ切り替えるように構成される。
【００１９】
この様な構成によれば、通常モードのまま電池を交換するには光量が不足している場合に、電池蓋を開けることにより、動作モードが自動的に省電力モードへ切り替えられる。従って、太陽光用のソーラーパネルにより十分な発電電力が得られない場合であっても、電源投入したまま電池を交換することができる。
【００２０】
第６の本発明による携帯端末は、上記構成に加え、上記開閉状態及び上記発電量に基づいて、充電制御を行う充電制御手段を備え、上記電池が、充電可能な二次電池からなり、上記充電制御手段が、上記電池蓋が閉状態である場合に、第１ソーラーパネルの発電電力を利用して上記二次電池の充電を行い、上記電池蓋が開状態である場合に、上記発電量が上記劣化判定閾値以上であるか否かに応じて、第１及び第２ソーラーパネルのいずれを利用して上記二次電池の充電を行うのかを切り替えるように構成される。
【００２１】
この様な構成によれば、電池単体であっても人工光用のソーラーパネルにより発電された電力を利用して二次電池を充電することができ、電池を筐体内に収容させた状態では、太陽光用のソーラーパネルにより発電された電力を利用して二次電池を充電することもできる。特に、電池蓋が閉まっているか否かや人工光用のソーラーパネルに光劣化が生じる状態であるか否かに応じて、各ソーラーパネルの発電電力を適切に利用して二次電池を充電することができる。
【発明の効果】
【００２２】
本発明による携帯端末では、人工光用及び太陽光用のソーラーパネルの発電電力を利用することができるとともに、人工光用のソーラーパネルに光劣化が生じる状態であることを検知することができる。
【００２３】
特に、開閉状態及び発電量に基づく光劣化の判定結果に基づいて報知を行うので、人工光用のソーラーパネルに光劣化が生じる状態である場合に、ユーザに対し、電池蓋を閉めて当該ソーラーパネルを遮光するように促すことができる。
【００２４】
また、本発明による携帯端末では、電池蓋が開状態へ移行した場合に、電源投入中における電池交換の可否の判別結果に基づいて報知を行うので、電池蓋を開けた際に、電源投入したまま電池を交換するには光量が不足していることをユーザに認識させることができる。さらに、太陽光用のソーラーパネルにより十分な発電電力が得られない場合であっても、電源投入したまま電池を交換することができる。
【００２５】
また、本発明によれば、電池単体であっても人工光用のソーラーパネルにより発電された電力を利用して二次電池を充電することができ、電池を筐体内に収容させた状態では、太陽光用のソーラーパネルにより発電された電力を利用して二次電池を充電することもできる。特に、電池蓋が閉まっているか否かや人工光用のソーラーパネルに光劣化が生じる状態であるか否かに応じて、各ソーラーパネルの発電電力を適切に利用して二次電池を充電することができる。
【図面の簡単な説明】
【００２６】
【図１】本発明の実施の形態による携帯端末の一構成例を示した斜視図であり、携帯端末の一例として携帯電話機１が示されている。
【図２】図１の携帯電話機１の要部の構成例を示した斜視図であり、本体筐体１０の電池収容部１０ａ内に取出可能に収容される電池パック２０が示されている。
【図３】図１の携帯電話機１内の機能構成の一例を示したブロック図である。
【図４】図３の主制御部３０の構成例を示したブロック図である。
【図５】図３の携帯電話機１におけるソーラーパネル使用時の動作の一例を示したフローチャートである。
【図６】図３の携帯電話機１における電池蓋１５を開けた際の動作の一例を示したフローチャートである。
【発明を実施するための形態】
【００２７】
＜携帯電話機１＞
図１は、本発明の実施の形態による携帯端末の一構成例を示した斜視図であり、携帯端末の一例として、携帯電話機１が示されている。図中の（ａ）には、本体筐体１０の前面が示され、（ｂ）には、本体筐体１０の背面が示されている。また、図２は、図１の携帯電話機１の要部の構成例を示した斜視図であり、本体筐体１０の電池収容部１０ａ内に取出可能に収容される電池パック２０が示されている。
【００２８】
この携帯電話機１は、携帯可能な端末装置であり、本体筐体１０、受話用のスピーカ１１、送話用のマイクロホン１２、表示部１３、本体ソーラーパネル１４、電池蓋１５及び電池パック２０により構成される。
【００２９】
本体筐体１０は、薄型で縦長の直方体形状からなる。スピーカ１１、マイクロホン１２、表示部１３及び操作キー１８は、本体筐体１０の前面に設けられ、本体ソーラーパネル１４及び電池蓋１５は、本体筐体１０の背面に設けられている。上記前面及び背面は、いずれも本体筐体１０の外面であり、側面や端面に比べて面積が大きく、互いに対向している。また、本体筐体１０の背面側には、電池パック２０を着脱可能に収容するための電池収容部１０ａが設けられている。
【００３０】
スピーカ１１は、受話音を出力するための音声出力装置である。マイクロホン１２は、送話音を入力するための音声入力装置である。表示部１３は、矩形形状の表示画面を有する表示装置であり、端末状態や操作内容が表示される。例えば、表示部１３は、ＬＣＤ（液晶ディスプレイ）と、ＬＣＤ上に配置され、ユーザによるタッチ操作を検出するタッチセンサとからなるタッチパネルにより構成される。
【００３１】
スピーカ１１は、表示部１３と本体筐体１０の長手方向の一方の端部との間に配置され、マイクロホン１２及び操作キー１８は、表示部１３と本体筐体１０の長手方向の他方の端部との間に配置されている。操作キー１８は、各種機能が予め割り当てられ、押下操作により、割り当てられている機能を実行するための物理キーであり、前の画面に戻るためのリターンキー、ホーム画面を表示するためのホームキー、メニュー画面を表示するためのメニューキーが設けられている。
【００３２】
本体ソーラーパネル１４は、矩形形状の受光面を有し、太陽光を電力に変換するソーラーパネルである。電池蓋１５は、本体筐体１０内に収容される電池パック２０等を外部環境から保護するための保護カバーであり、本体筐体１０に対し開閉可能に装着される。この電池蓋１５は、電池収容部１０ａの開口を塞ぐ取外可能な矩形形状の薄板からなり、電池収容部１０ａ内に嵌め込むことによって装着される。
【００３３】
電池パック２０は、繰り返し充放電可能な二次電池と、この二次電池を収容する電池筐体により構成される電池であり、人工光を電力に変換する電池ソーラーパネル２１が電池筐体に設けられている。上記電池筐体は、薄型の直方体形状からなる。電池ソーラーパネル２１は、矩形形状の受光面を有する人工光用のソーラーパネルであり、上記電池筐体の外面に設けられている。
【００３４】
電池パック２０は、電池ソーラーパネル２１の受光面を本体ソーラーパネル１４と同じ方向に向けた状態で、電池収容部１０ａ内に収容される。また、電池ソーラーパネル２１は、電池蓋１５を本体筐体１０から取り外した状態において、電池収容部１０ａの開口から露出する。つまり、電池ソーラーパネル２１は、電池蓋１５の開状態において露出し、電池蓋１５の閉状態において遮光される。
【００３５】
ここでいうソーラーパネルは、照射された光のエネルギーを電気エネルギーに変換して出力する発電装置であり、照射光には、太陽を光源とする太陽光や、照明器具を光源とする人工光を用いることができる。本体ソーラーパネル１４は、太陽光による発電に適したソーラーパネルであり、電池ソーラーパネル２１は、人工光による発電に適したソーラーパネルである。
【００３６】
この携帯電話機１では、本体ソーラーパネル１４や電池ソーラーパネル２１により発電された電力を利用して電池パック２０内の二次電池を充電することができる。また、電池パック２０単体であっても、電池ソーラーパネル２１の発電電力を利用して充電することができる。さらに、本体ソーラーパネル１４の発電電力を利用することにより、主電源をオンしたまま電池パック２０を交換することができる。
【００３７】
また、電池パック２０を電池収容部１０ａ内に収容させた状態で本体筐体１０にＡＣアダプタを接続することにより、商用電源から供給される電力を利用して電池パック２０内の二次電池を充電することができる。
【００３８】
電池収容部１０ａには、制御端子１６ａ、充放電端子１６ｂ、ＧＮＤ（グランド）端子１６ｃ及び開閉検出部１７が設けられている。制御端子１６ａは、電池パック２０内の二次電池を充電する際の制御信号を入出力するための信号端子である。充放電端子１６ｂは、上記二次電池に対する充電電流や当該二次電池の放電電流を入出力するための電源端子である。ＧＮＤ端子１６ｃは、接地端子であり、上記二次電池の負極に接続される。
【００３９】
開閉検出部１７は、電池蓋１５の開閉状態を検出するためのセンサ装置であり、電池蓋１５の有無に応じて、導通状態と遮断状態とが切り替えられる。例えば、電池蓋１５に接触させる接触子の移動により、導通状態と遮断状態とが切り替えられる蓋検出スイッチが開閉検出部１７として用いられる。
【００４０】
図３は、図１の携帯電話機１内の機能構成の一例を示したブロック図である。この携帯電話機１では、電池パック２０の電池筐体に制御端子２５ａ、充放電端子２５ｂ及びＧＮＤ端子２５ｃが設けられている。
【００４１】
電池パック２０を電池収容部１０ａ内に収容させた状態では、制御端子２５ａ、充放電端子２５ｂ及びＧＮＤ端子２５ｃと、本体筐体１０側の制御端子１６ａ、充放電端子１６ｂ及びＧＮＤ端子１６ｃとがそれぞれ導通し、本体ソーラーパネル１４や電池ソーラーパネル２１の発電電力が電池筐体内の二次電池２２へ供給され、また、二次電池２２の放電電力が本体筐体１０へ供給される。
【００４２】
本体筐体１０は、表示部１３、本体ソーラーパネル１４、開閉検出部１７、主制御部３０、充電回路３１、電源部３２、セルラー通信部３３、操作部３４、音声処理部３５、メモリ３６及び発電量検出部３７により構成される。
【００４３】
本体ソーラーパネル１４は、光起電力現象を利用して光エネルギーを直接に電気エネルギーに変換する複数のソーラーセル１４ａにより構成される。例えば、ソーラーセル１４ａは、多結晶シリコンなどの多結晶型半導体により構成され、屋外で太陽光が直接に照射されるといった高照度下における発電に好適である。
【００４４】
本体ソーラーパネル１４の正極端子は、充電回路３１を介して充放電端子１６ｂに接続され、負極端子は、ＧＮＤ端子１６ｃと導通するＧＮＤ線に接続されている。充電回路３１は、本体ソーラーパネル１４の発電電力を二次電池２２へ供給し、二次電池２２の充電制御を行う。電源部３２は、二次電池２２から供給される放電電力や本体ソーラーパネル１４から供給される発電電力を利用して、主制御部３０やセルラー通信部３３といった本体筐体１０内の各デバイスに対し電源供給を行う。
【００４５】
セルラー通信部３３は、基地局と通信し、移動体通信網を介して他の通信端末と通話や電子メールの送受信を行う無線部である。操作部３４は、表示部１３の表示画面に対するタッチ操作や操作キーの押下操作を検出し、操作信号を生成する。
【００４６】
音声処理部３５は、音声信号の入出力処理を行い、受話音声を処理してスピーカ１１から出力し、また、マイクロホン１２が集音した送話音声を処理して主制御部３０へ入力する。メモリ３６には、主制御部３０の制御プログラムや受信データ等が保持される。
【００４７】
開閉検出部１７は、電池蓋１５の開閉状態を検出し、蓋検出信号を生成する。発電量検出部３７は、本体ソーラーパネル１４の発電量を検出する。例えば、発電量検出部３７は、本体ソーラーパネル１４の端子電圧又は起電力を測定し、その測定結果を発電量の検出値として出力する。
【００４８】
電池パック２０は、電池ソーラーパネル２１、二次電池２２、充電回路２３及び保護回路２４により構成される。電池ソーラーパネル２１は、光起電力現象を利用して光エネルギーを直接に電気エネルギーに変換する複数のソーラーセル２１ａにより構成される。例えば、ソーラーセル２１ａは、アモルファスシリコンなどのアモルファス型半導体により構成され、屋内で人工光が照射されるといった低照度下における発電に好適である。
【００４９】
電池ソーラーパネル２１の正極端子は、充電回路２３を介して充放電端子２５ｂに接続され、負極端子は、ＧＮＤ端子２５ｃと導通するＧＮＤ線に接続されている。充電回路２３は、電池ソーラーパネル２１の発電電力を二次電池２２へ供給し、二次電池２２の充電制御を行う。
【００５０】
二次電池２２は、繰り返し充放電可能な蓄電池であり、電池セル２２ａにより構成される。例えば、電池セル２２ａには、正極にリチウム金属酸化物を用い、負極にグラファイトなどの炭素系材料を用いるリチウムイオンバッテリーが用いられる。二次電池２２の正極は、充放電端子２５ｂに接続され、負極は、保護回路２４を介してＧＮＤ線に接続されている。保護回路２４は、電池セル２２ａを過電流や過放電から保護するための回路素子である。
【００５１】
主制御部３０は、操作部３４からの操作信号に基づいて、表示部１３やセルラー通信部３３を制御する。この主制御部３０は、開閉検出部１７により検出される電池蓋１５の開閉状態と、発電量検出部３７により検出される発電量とに基づいて、電池ソーラーパネル２１に光劣化が生じる状態であるか否かを判定し、その判定結果に基づいて、ユーザに対し、電池蓋１５を閉めることを促す報知を行う。
【００５２】
また、主制御部３０は、発電量検出部３７による発電量の検出値に基づいて、電源投入中における電池交換の可否を判別し、電池蓋１５が開状態へ移行した際に、電池交換可否の判別結果に基づいて、ユーザに対する報知を行う。
【００５３】
また、主制御部３０は、充電回路２３及び３１を制御し、開閉検出部１７による開閉状態の検出結果と、発電量検出部３７による発電量の検出値とに基づいて、二次電池２２の充電制御を行う。
【００５４】
＜主制御部３０＞
図４は、図３の主制御部３０の構成例を示したブロック図である。この主制御部３０は、充電制御部１０１、劣化判定閾値記憶部１０２、劣化判定部１０３、ユーザ報知部１０４、電池交換不可閾値記憶部１０５、電池交換判別部１０６、省電力切替閾値記憶部１０７、省電力切替判別部１０８及びモード切替部１０９により構成される。
【００５５】
充電制御部１０１は、開閉検出部１７からの蓋検出信号と、発電量検出部３７からの発電量の検出値とに基づいて、充電回路２３，３１を制御するための充電制御信号を生成する。充電回路２３，３１は、充電制御信号に基づいて、二次電池２２への充電電流が流れる電流路を遮断し、或いは、開放する。
【００５６】
具体的には、電池蓋１５が閉状態である場合に、本体ソーラーパネル１４の発電電力を利用して二次電池２２の充電を行う。その際、充電制御部１０１は、充電回路２３に対し、電池ソーラーパネル２１及び二次電池２２間の電流路を遮断することを指示する。これより、二次電池２２に対する充電電流が充電回路２３側へ流れることによる無駄な電力消費を抑制することができる。
【００５７】
一方、電池蓋１５が開状態である場合には、発電量の検出値が所定の劣化判定閾値Ｔｈ１以上であるか否かに応じて、本体ソーラーパネル１４又は電池ソーラーパネル２１のいずれを利用して二次電池２２の充電を行うのかを切り替える。劣化判定閾値記憶部１０２には、劣化判定閾値Ｔｈ１が保持される。
【００５８】
すなわち、電池蓋１５が開いている場合、充電制御部１０１は、発電量の検出値が劣化判定閾値Ｔｈ１以上であれば、電池ソーラーパネル２１に光劣化が生じる状態であるので、本体ソーラーパネル１４の発電電力を利用して二次電池２２の充電を行う。その際、充電制御部１０１は、充電回路２３に対し、電池ソーラーパネル２１及び二次電池２２間の電流路を遮断することを指示する。これより、二次電池２２に対する充電電流が充電回路２３側へ流れることによる無駄な電力消費を抑制することができる。
【００５９】
これに対し、充電制御部１０１は、発電量の検出値が劣化判定閾値Ｔｈ１未満であれば、本体ソーラーパネル１４では光量不足により充電できないので、電池ソーラーパネル２１の発電電力を利用して二次電池２２の充電を行う。その際、充電制御部１０１は、充電回路３１に対し、本体ソーラーパネル１４及び二次電池２２間の電流路を遮断することを指示する。これより、二次電池２２に対する充電電流が充電回路３１側へ流れることによる無駄な電力消費を抑制することができる。
【００６０】
充電回路２３，３１では、二次電池２２への充電電流を監視し、電流値が一定レベルを下回れば、二次電池２２の電池残量が満充電レベルに到達したものと判断し、充電を終了させるべく電流路を遮断する。
【００６１】
劣化判定部１０３は、開閉検出部１７からの蓋検出信号と、発電量検出部３７からの発電量の検出値とに基づいて、電池ソーラーパネル２１に光劣化が生じる状態であるか否かを判定し、その判定結果をユーザ報知部１０４へ出力する。
【００６２】
具体的には、電池蓋１５が開状態であり、かつ、発電量の検出値が劣化判定閾値Ｔｈ１以上である場合に、電池ソーラーパネル２１に光劣化が生じる状態であると判定する。一方、電池蓋１５が閉状態であるか、或いは、発電量の検出値が劣化判定閾値Ｔｈ１未満である場合には、電池ソーラーパネル２１に光劣化が生じる状態ではないと判定する。
【００６３】
ユーザ報知部１０４は、劣化判定部１０３の判定結果に基づいて、ユーザに対し、電池蓋１５を閉めることを促す報知を行うための警告メッセージを生成する。この警告メッセージは、表示部１３へ出力され、電池蓋１５を閉めることを促すための所定の文字列が画面表示される。或いは、警告メッセージは、音声処理部３５へ出力され、電池蓋１５を閉めることを促す音声出力が行われる。
【００６４】
この様な警告メッセージの出力は、電池蓋１５が開状態であり、かつ、発電量の検出値が劣化判定閾値Ｔｈ１以上である場合に行われ、電池蓋１５が閉状態であるか、或いは、発電量の検出値が劣化判定閾値Ｔｈ１未満である場合には行われない。
【００６５】
電池交換判別部１０６は、発電量検出部３７からの発電量の検出値を所定の電池交換不可閾値Ｔｈ２と比較し、その比較結果に基づいて電源投入中における電池交換の可否を判別する。電池交換不可閾値記憶部１０５には、電池交換不可閾値Ｔｈ２が保持される。
【００６６】
具体的には、発電量の検出値が電池交換不可閾値Ｔｈ２以上である場合に、電源投入中における電池交換が可能であると判別する。一方、発電量の検出値が電池交換不可閾値Ｔｈ２未満である場合には、電源投入中における電池交換が不可であると判別する。
【００６７】
ユーザ報知部１０４は、電池蓋１５が閉状態から開状態へ移行した場合に、電池交換判別部１０６による電池交換可否の判別結果に基づいて、ユーザに対する報知を行うための警告メッセージを生成する。この警告メッセージは、表示部１３へ出力され、電源投入中における電池交換が不可であることを示す所定の文字列が画面表示される。或いは、警告メッセージは、音声処理部３５へ出力され、電源投入中における電池交換が不可である旨の音声出力が行われる。
【００６８】
この様な警告メッセージの出力は、発電量の検出値が電池交換不可閾値Ｔｈ２未満である場合に行われ、発電量の検出値が電池交換不可閾値Ｔｈ２以上である場合には行われない。
【００６９】
省電力切替判別部１０８は、発電量検出部３７からの発電量の検出値を電池交換不可閾値Ｔｈ２よりも大きい省電力切替閾値Ｔｈ３と比較し、その比較結果に基づいて、省電力モードへのモード切替の要否を判別する。省電力モードは、消費電力を通常モードよりも低減させた動作モードである。省電力切替閾値記憶部１０７には、省電力切替閾値Ｔｈ３が保持される。
【００７０】
モード切替部１０９は、電池蓋１５が閉状態から開状態へ移行した場合に、電池交換判別部１０６による電池交換可否の判別結果と、省電力切替判別部１０８によるモード切替要否の判別結果とに基づいて、動作モードを省電力モードへ切り替える。具体的には、発電量の検出値が電池交換不可閾値ｔｈ２以上、かつ、省電力切替閾値Ｔｈ３以下である場合に、動作モードを省電力モードへ切り替える。
【００７１】
例えば、省電力モードは、セルラー通信部３３や表示部３４への電源供給を遮断し、モード解除のためのキー操作のみを受け付けるスリープモードである。省電力モードは、所定の操作入力に基づいて解除され、通常モードに復帰する。一方、発電量の検出値が電池交換不可閾値ｔｈ２未満であるか、或いは、省電力切替閾値Ｔｈ３を越えている場合には、通常モードが維持される。
【００７２】
図５のステップＳ１０１〜Ｓ１０８は、図３の携帯電話機１におけるソーラーパネル使用時の動作の一例を示したフローチャートである。まず、開閉検出部１７は、電池蓋１５の開閉状態を検出する（ステップＳ１０１）。このとき、発電量検出部３７は、電池蓋１５が開状態であれば、発電量を検出する（ステップＳ１０２，Ｓ１０３）。
【００７３】
主制御部３０は、発電量の検出値を劣化判定閾値Ｔｈ１と比較し、当該検出値が劣化判定閾値Ｔｈ１以上であれば、警告メッセージを出力し、本体ソーラーパネル１４により発電された電力を利用して二次電池２２の充電を行う（ステップＳ１０４〜Ｓ１０６）。また、発電量の検出値が劣化判定閾値Ｔｈ１未満である場合には、電池ソーラーパネル２１により発電された電力を利用して二次電池２２の充電を行う（ステップＳ１０４，Ｓ１０８）。
【００７４】
一方、主制御部３０は、電池蓋１５が閉状態であれば、本体ソーラーパネル１４により発電された電力を利用して二次電池２２の充電を行う（ステップＳ１０２，Ｓ１０６）。ステップＳ１０１からステップＳ１０６，Ｓ１０８までの処理手順は、二次電池２２の電池残量が満充電レベルに到達するまで繰り返される（ステップＳ１０７）。
【００７５】
図６のステップＳ２０１〜Ｓ２０７は、図３の携帯電話機１における電池蓋１５を開けた際の動作の一例を示したフローチャートである。まず、発電量検出部３７は、発電量を検出する（ステップＳ２０１）。このとき、主制御部３０は、発電量の検出値を電池交換不可閾値Ｔｈ２と比較し、当該検出値が電池交換不可閾値Ｔｈ２未満であれば、警告メッセージを表示し、この処理を終了する（ステップＳ２０２，Ｓ２０７）。
【００７６】
一方、主制御部３０は、発電量の検出値が電池交換不可閾値Ｔｈ２以上であれば、さらに、発電量の検出値を省電力切替閾値Ｔｈ３と比較し（ステップＳ２０２，Ｓ２０３）、当該検出値が省電力切替閾値Ｔｈ３を越えていれば、直ちにこの処理を終了する。
【００７７】
また、発電量の検出値が省電力切替閾値Ｔｈ３以下である場合には、動作モードを通常モードから省電力モードへ切り替える（ステップＳ２０３，Ｓ２０４）。この省電力モードは、電池パック２０を交換した後のキー操作に基づいて解除され、通常モードへ復帰する（ステップＳ２０５，Ｓ２０６）。
【００７８】
本実施の形態によれば、人工光用の電池ソーラーパネル２１に光劣化が生じる状態であることを検知して、ユーザに対し、電池蓋１５を閉めて当該電池ソーラーパネル２１を遮光するように促すことができる。この様な構成を採用することにより、二次電池２２の寿命が到来するよりも前に、電池ソーラーパネル２１が寿命に達するのを防止することができる。
【００７９】
また、電池蓋１５が開状態へ移行した場合に、電源投入中における電池交換の可否の判別結果に基づいて報知を行うので、電池蓋１５を開けた際に、主電源をオフすることなく電池パック２０を交換するには光量が不足していることをユーザに認識させることができる。
【００８０】
また、通常モードのまま電池パック２０を交換するには光量が不足している場合に、電池蓋１５を開けることにより、動作モードが自動的に省電力モードへ切り替えられる。従って、太陽光用の本体ソーラーパネル１４により十分な発電電力が得られない場合であっても、主電源をオフすることなく電池パック２０を交換することができる。
【００８１】
さらに、電池パック２０単体であっても電池ソーラーパネル２１により発電された電力を利用して二次電池２２を充電することができ、電池パック２０を本体筐体１０内に収容させた状態では、本体ソーラーパネル１４により発電された電力を利用して二次電池２２を充電することもできる。特に、電池蓋１５が閉まっているか否かや電池ソーラーパネル２１に光劣化が生じる状態であるか否かに応じて、各ソーラーパネルの発電電力を適切に利用して二次電池２２を充電することができる。
【００８２】
なお、本実施の形態では、劣化判定部１０３の判定結果に基づいて、ユーザに対し電池蓋１５を閉めることを促す報知を行う場合の例について説明したが、本発明は劣化判定部１０３による光劣化の判定結果の利用方法をこれに限定するものではない。例えば、電池ソーラーパネル２１に光劣化が生じる状態であるか否かの判定結果を時刻情報に関連づけ、判定履歴として保持するような構成であっても良い。
【符号の説明】
【００８３】
１  携帯電話機
１０  本体筐体
１１  受話用のスピーカ
１２  送話用のマイクロホン
１３  表示部
１４  本体ソーラーパネル
１５  電池蓋
１６ａ  制御端子
１６ｂ  充放電端子
１６ｃ  ＧＮＤ端子
１７  開閉検出部
１８  操作キー
２０  電池パック
２１  電池ソーラーパネル
２２  二次電池
２３  充電回路
２４  保護回路
３０  主制御部
３１  充電回路
３２  電源部
３３  セルラー通信部
３４  操作部
３５  音声処理部
３６  メモリ
３７  発電量検出部
１０１  充電制御部
１０２  劣化判定閾値記憶部
１０３  劣化判定部
１０４  ユーザ報知部
１０５  電池交換不可閾値記憶部
１０６  電池交換判別部
１０７  省電力切替閾値記憶部
１０８  閾値比較部
１０９  モード切替部
【図１】
2014030137.tif 000003
【図２】
2014030137.tif 000004
【図３】
2014030137.tif 000005
【図４】
2014030137.tif 000006
【図５】
2014030137.tif 000007
【図６】
2014030137.tif 000008